【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
積載部に積載された記録材を給送する給送手段と、
前記給送手段によって給送された記録材を搬送する搬送手段と、
記録材の搬送方向において前記搬送手段よりも下流側に設けられ、記録材を検知する検知手段と、
前記給送手段によって前記積載部に積載された記録材を第１の速度で給送させ、前記給送手段による記録材の給送を開始してから所定時間が経過するよりも前に前記検知手段が記録材を検知しない場合、前記所定時間が経過したタイミングで、前記搬送手段によって記録材を前記第１の速度よりも速い第２の速度で搬送させる制御手段と、を有することを特徴とする画像形成装置。
【請求項２】
前記制御手段は、前記検知手段が記録材を検知したタイミングに基づいて、前記搬送手段によって記録材を前記第２の速度で搬送させる搬送時間の長さを設定することを特徴とする請求項１に記載の画像形成装置。
【請求項３】
前記検知手段が記録材を検知したタイミングが第１のタイミングである場合、前記制御手段は前記搬送時間の長さを第１の時間の長さに設定し、
前記検知手段が記録材を検知したタイミングが前記第１のタイミングよりも遅い第２のタイミングである場合、前記制御手段は前記搬送時間の長さを前記第１の時間の長さよりも長い第２の時間の長さに設定することを特徴とする請求項２に記載の画像形成装置。
【請求項４】
前記制御手段は、前記搬送時間が経過したタイミングで、前記搬送手段によって記録材を前記第１の速度で搬送させることを特徴とする請求項２又は３に記載の画像形成装置。
【請求項５】
トナー画像が形成される感光体と、
前記感光体に形成されたトナー画像を中間転写体に一次転写する一次転写手段と、
前記中間転写体に一次転写されたトナー画像を記録材に二次転写する二次転写手段と、を有し、
前記第１の速度は、トナー画像が二次転写される場合における記録材の搬送速度であって、前記制御手段は、前記中間転写体に一次転写されたトナー画像が記録材に二次転写されるように、前記搬送時間の長さを設定することを特徴とする請求項２乃至４のいずれか１項に記載の画像形成装置。
【請求項６】
前記制御手段は、前記給送手段による記録材の給送を開始してから前記所定時間が経過するよりも前に前記検知手段が記録材を検知した場合、前記検知手段によって記録材を検知したタイミングに基づいて、前記搬送手段による記録材の搬送速度を加速又は減速させることを特徴とする請求項１又は２に記載の画像形成装置。
【請求項７】
前記制御手段は、前記搬送手段による記録材の搬送速度を加速又は減速させた後、再び前記搬送手段によって記録材を前記第１の速度で搬送させることを特徴とする請求項６に記載の画像形成装置。
【請求項８】
トナー画像が形成される感光体と、
前記感光体に形成されたトナー画像を中間転写体に一次転写する一次転写手段と、
前記中間転写体に一次転写されたトナー画像を記録材に二次転写する二次転写手段と、を有し、
前記第１の速度は、トナー画像が二次転写される場合における記録材の搬送速度であって、前記制御手段は、前記中間転写体に一次転写されたトナー画像が記録材に二次転写されるように、前記搬送手段による記録材の搬送速度を加速又は減速させることを特徴とする請求項６又は７に記載の画像形成装置。
【請求項９】
前記積載部から複数の記録材が給送された場合に、１枚の記録材が搬送されるように前記複数の記録材を分離する分離手段を有し、
前記制御手段は、前記所定時間の長さを、前記積載部から前記第１の速度で給送された記録材が少なくとも前記分離手段に到達するために必要な時間の長さに設定することを特徴とする請求項１又は２に記載の画像形成装置。
【請求項１０】
トナー画像が形成される感光体と、
前記感光体に形成されたトナー画像を中間転写体に一次転写する一次転写手段と、
前記中間転写体に一次転写されたトナー画像を記録材に二次転写する二次転写手段と、を有し、
前記制御手段は、前記分離手段から前記二次転写手段までの距離と、記録材が前記分離手段から前記二次転写手段まで搬送される際の搬送速度に基づき、前記所定時間の長さを設定することを特徴とする請求項９に記載の画像形成装置。
【請求項１１】
前記制御手段は、前記分離手段に記録材が到達したタイミングで記録材を第二の速度で搬送させるように制御した場合における、前記二次転写手段まで記録材が搬送されるまでにかかる最も短い搬送時間に基づき、前記所定時間の長さを設定することを特徴とする請求項１０に記載の画像形成装置。
【請求項１２】
前記給送手段を駆動する駆動手段と、
前記駆動手段からの駆動力を前記給送手段に対して伝達又は遮断するクラッチ機構と、を有し、
前記制御手段は、前記クラッチ機構により前記駆動力が前記給送手段に伝達されてから遮断されるまでの時間に基づき、前記所定時間の長さを設定することを特徴とする請求項１又は２に記載の画像形成装置。
【請求項１３】
前記制御手段は、記録材の種類に基づいて、前記給送手段による記録材の給送を開始してから前記所定時間が経過するよりも前に前記検知手段が記録材を検知しない場合、前記所定時間が経過したタイミングで、前記搬送手段によって記録材を前記第２の速度で搬送させるか否かを切り替えることを特徴とする請求項１乃至１２のいずれか１項に記載の画像形成装置。
【請求項１４】
記録材の種類が光沢紙又は厚紙であり、前記給送手段による記録材の給送を開始してから前記所定時間が経過するよりも前に前記検知手段が記録材を検知しない場合、前記制御手段は、前記所定時間が経過したタイミングで、前記搬送手段によって記録材を前記第２の速度で搬送させ、
記録材の種類が光沢紙かつ厚紙でなく、前記給送手段による記録材の給送を開始してから前記所定時間が経過するよりも前に前記検知手段が記録材を検知しない場合、前記制御手段は、前記所定時間が経過したタイミングで、前記搬送手段によって記録材を前記第２の速度で搬送させないことを特徴とする請求項１３に記載の画像形成装置。
【請求項１５】
前記搬送手段は、前記検知手段までの区間において、記録材を停止させることなく搬送することを特徴とする請求項１乃至１４のいずれか１項に記載の画像形成装置。
【請求項１６】
前記第１の速度は、前記給送手段によって給送される記録材の種類に応じて設定されることを特徴とする請求項１乃至１５のいずれか１項に記載の画像形成装置。
【請求項１７】
前記積載部から複数の記録材が給送された場合に、１枚の記録材が搬送されるように前記複数の記録材を分離する分離手段と、
前記給送手段、前記搬送手段、前記分離手段を駆動する駆動手段と、
前記駆動手段からの駆動力を前記給送手段に対して伝達又は遮断するクラッチ機構と、を有することを特徴とする請求項１に記載の画像形成装置。
【請求項１８】
積載部に積載された記録材を給送する給送部材と、
前記給送部材によって給送された記録材を搬送する搬送部材と、
前記搬送部材とニップ部を形成し、複数の記録材が前記ニップ部に給送された場合には、１枚の記録材が搬送されるように前記複数の記録材を分離する分離部材と、
記録材の搬送方向において前記搬送部材よりも下流側に設けられ、記録材を検知する検知手段と、
前記給送部材によって前記積載部に積載された記録材を第１の速度で給送させ、記録材の先端が前記ニップ部に到達した後であって、かつ記録材の先端が前記検知手段に到達する前に、前記搬送部材によって記録材を前記第１の速度よりも速い第２の速度又は前記第１の速度よりも遅い第３の速度で搬送させる制御手段と、を有することを特徴とする画像形成装置。
【請求項１９】
前記制御手段は、前記検知手段が記録材を検知したタイミングに基づいて、前記搬送部材によって記録材を前記第２の速度又は前記第３の速度で搬送させる搬送時間の長さを設定することを特徴とする請求項１８に記載の画像形成装置。
【請求項２０】
積載部に積載された記録材を給送する給送部材と、
前記給送部材によって給送された記録材を搬送する搬送部材と、
前記搬送部材とニップ部を形成し、複数の記録材が前記ニップ部に給送された場合には、１枚の記録材が搬送されるように前記複数の記録材を分離する分離部材と、
記録材の搬送方向において前記搬送部材よりも下流側に設けられ、記録材を検知する検知手段と、
前記給送部材によって前記積載部に積載された記録材を第１の速度で給送させ、記録材の種類に基づいて、記録材の先端が前記ニップ部に到達した後であって、かつ記録材の先端が前記検知手段に到達する前に、前記搬送部材によって記録材を前記第１の速度よりも速い第２の速度又は前記第１の速度よりも遅い第３の速度で搬送させるか否かを切り替える制御手段と、を有することを特徴とする画像形成装置。
【請求項２１】
記録材の種類が光沢紙又は厚紙である場合、前記制御手段は、記録材の先端が前記ニップ部に到達した後であって、かつ記録材の先端が前記検知手段に到達する前に、前記搬送部材によって記録材を前記第２の速度又は前記第３の速度で搬送させ、
記録材の種類が光沢紙及び厚紙でない場合、前記制御手段は、記録材の先端が前記ニップ部に到達した後であって、かつ記録材の先端が前記検知手段に到達する前に、前記搬送部材によって記録材を前記第２の速度及び前記第３の速度で搬送させないことを特徴とする請求項２０に記載の画像形成装置。
【手続補正２】
【補正対象書類名】明細書
【補正対象項目名】０００８
【補正方法】変更
【補正の内容】
【０００８】
上記目的を達成するために本発明は、積載部に積載された記録材を給送する給送手段と、前記給送手段によって給送された記録材を搬送する搬送手段と、記録材の搬送方向において前記搬送手段よりも下流側に設けられ、記録材を検知する検知手段と、前記給送手段によって前記積載部に積載された記録材を第１の速度で給送させ、前記給送手段による記録材の給送を開始してから所定時間が経過するよりも前に前記検知手段が記録材を検知しない場合、前記所定時間が経過したタイミングで、前記搬送手段によって記録材を前記第１の速度よりも速い第２の速度で搬送させる制御手段と、を有することを特徴とする。